(57)【要約】エンドエフェクタは、上側ジョー部と下側ジョー部とを有することができる。手首部がエンドエフェクタを細長いシャフトに接続することができる。ビーム部材が、上側ジョー部および下側ジョー部内で並進するように配置されることができる。作動アセンブリが、圧縮力をビーム部材に伝達するように構成された押圧アセンブリおよび引張力をビーム部材に伝達するように構成された引張アセンブリを有することができる。
2019526386.tif 000002
【特許請求の範囲】
【請求項１】
上側ジョー部および下側ジョー部を有するエンドエフェクタであって、手首部が前記エンドエフェクタを細長いシャフトに接続する、エンドエフェクタと：
前記上側ジョー部および前記下側ジョー部内で並進するように配置されているビーム部材であって、前記上側ジョー部に移動可能に結合するための第１の部分および前記下側ジョー部に移動可能に結合するための第２の部分を有する、ビーム部材と；
前記ビーム部材に接続され、前記手首部内に柔軟に収容され、引張力を前記ビーム部材に加える、引張アセンブリと；
前記ビーム部材に接続され、前記手首部内に柔軟に収容され、圧縮力を前記ビーム部材に加える、押圧アセンブリと；
を有する、
装置。
【請求項２】
前記引張アセンブリは、細長いケーブルを有する、
請求項１に記載の装置。
【請求項３】
前記押圧アセンブリは、前記細長いケーブルを囲む内腔を有する、
請求項２に記載の装置。
【請求項４】
前記押圧アセンブリは、密巻ばねを有する、
請求項１に記載の装置。
【請求項５】
前記密巻ばねは、円筒形の外面を有する、
請求項４に記載の装置。
【請求項６】
前記密巻ばねは、境界を接する凸面および凹面を有する、
請求項４に記載の装置。
【請求項７】
前記密巻ばねは、螺旋状に切断されたチューブ含む、
請求項１に記載の装置。
【請求項８】
前記押圧アセンブリは、凹部のパターンを有するチューブを有する、
請求項１に記載の装置。
【請求項９】
前記引張アセンブリは、編組シースを有する、
請求項１に記載の装置。
【請求項１０】
前記押圧アセンブリは、張力下で分離する複数の押圧要素を有する、
請求項１に記載の装置。
【請求項１１】
前記押圧アセンブリは、複数の球形部材を有する、
請求項１に記載の装置。
【請求項１２】
前記引張アセンブリは、前記複数の球形部材を収容する内腔を画定する、
請求項１１に記載の装置。
【請求項１３】
前記球形部材は、可撓性ロッドによって連結される、
請求項１２に記載の装置。
【請求項１４】
前記押圧アセンブリは、複数の別々の要素であって、前記要素間の横方向の相対的滑りを一方向に制限する境界面を有する、複数の別々の要素を有する、
請求項１に記載の装置。
【請求項１５】
前記押圧アセンブリは、複数の別々の要素であって、前記要素間の相対的なねじれを防止する境界面を有する、複数の別々の要素を有する、
請求項１に記載の装置。
【請求項１６】
前記押圧アセンブリは、平ワッシャの積み重ねを有する、
請求項１に記載の装置。
【請求項１７】
前記押圧アセンブリは、円環ディスクの積み重ねを有する、
請求項１に記載の装置。
【請求項１８】
前記押圧アセンブリは、複数の板金バンドを有する、
請求項１に記載の装置。
【請求項１９】
前記押圧アセンブリは、前記複数の板金バンドがそれを通って延在する管腔を画定する矩形ワッシャの積み重ねを有する、
請求項１８に記載の装置。
【請求項２０】
前記手首部は、中に収容された前記引張アセンブリおよび前記押圧アセンブリとともにピッチ回転およびヨー回転するように構成される、
請求項１に記載の装置。
【請求項２１】
前記引張アセンブリおよび前記押圧アセンブリの曲げ剛性は、ピッチおよびヨーにおいて同じである、
請求項２０に記載の装置。
【請求項２２】
上側ジョー部および下側ジョー部を有するエンドエフェクタであって、手首部が前記エンドエフェクタを細長いシャフトに接続する、エンドエフェクタと：
前記上側ジョー部および前記下側ジョー部内で並進するように配置されているビーム部材であって、前記上側ジョー部に移動可能に結合するための第１の部分および前記下側ジョー部に移動可能に結合するための第２の部分を有する、ビーム部材と；
圧縮力を前記ビーム部材に伝達する押圧アセンブリおよび引張力を前記ビーム部材に伝達する引張アセンブリを有する、作動アセンブリと；
を有する、
手術装置。
【請求項２３】
前記引張アセンブリは、細長いケーブルを有する、
請求項２２に記載の手術装置。
【請求項２４】
前記押圧アセンブリは、前記細長いケーブルを囲む内腔を有する、
請求項２３に記載の手術装置。
【請求項２５】
前記細長いケーブルは、編組内腔を有する、
請求項２３に記載の手術装置。
【請求項２６】
前記押圧アセンブリは、密巻ばねを有する、
請求項２２に記載の手術装置。
【請求項２７】
前記密巻ばねは、円筒形の外面を有する、
請求項２６に記載の手術装置。
【請求項２８】
前記密巻ばねは、境界を接する凸面および凹面を有する、
請求項２６に記載の手術装置。
【請求項２９】
前記密巻ばねは、螺旋状に切断されたチューブ含む、
請求項２６に記載の手術装置。
【請求項３０】
前記押圧アセンブリは、凹部のパターンを有するチューブを有する、
請求項２２に記載の手術装置。
【請求項３１】
前記押圧アセンブリは、張力下で分離する複数の押圧要素を有する、
請求項２２に記載の手術装置。
【請求項３２】
前記押圧アセンブリは、複数の球形部材を有する、
請求項３１に記載の手術装置。
【請求項３３】
前記引張アセンブリは、前記球形部材を収容する内腔を画定する、
請求項３２に記載の手術装置。
【請求項３４】
前記球形部材は、可撓性ロッドによって連結される、
請求項３３に記載の手術装置。
【請求項３５】
前記押圧アセンブリは、複数の別々の要素であって、前記要素間の横方向の相対的滑りを一方向に制限する境界面を有する、複数の別々の要素を有する、
請求項２２に記載の手術装置。
【請求項３６】
前記押圧アセンブリは、複数の別々の要素であって、前記要素間の相対的なねじれを防止する境界面を有する、複数の別々の要素を有する、
請求項２２に記載の手術装置。
【請求項３７】
前記押圧アセンブリは、平ワッシャの積み重ねを有する、
請求項２２に記載の手術装置。
【請求項３８】
前記押圧アセンブリは、円環ディスクの積み重ねを有する、
請求項２２に記載の手術装置。
【請求項３９】
前記引張アセンブリは、複数の板金バンドを有する、
請求項２２に記載の手術装置。
【請求項４０】
前記押圧アセンブリは、前記複数の板金バンドがそれを通って延在する管腔を画定する矩形ワッシャの積み重ねを有する、
請求項３９に記載の手術装置。
【請求項４１】
前記押圧アセンブリは、可撓性ロッドの一次元アレイを有し、
前記引張アセンブリは、前記可撓性ロッドの一次元アレイを有し、
前記可撓性ロッドの一次元アレイは、前記引張力を前記ビーム部材に伝達し、
前記可撓性ロッドの一次元アレイは、前記圧縮力を前記ビーム部材に伝達する、
請求項２２に記載の手術装置。
【請求項４２】
前記押圧アセンブリは、ニッケル−チタンロッドを有し、
前記引張アセンブリは、前記ニッケル−チタンロッドを有し、
前記ニッケル−チタンロッドは、前記引張力を前記ビーム部材に伝達し、
前記ニッケル−チタンロッドは、前記圧縮力を前記ビーム部材に伝達する、
請求項２２に記載の手術装置。
【発明の詳細な説明】
【技術分野】
【０００１】
（関連出願データの相互参照）
本出願は、２０１６年９月９日に出願された米国仮出願第62/385,636号の利益を主張し、その全開示はその全体が全ての目的に対して参照により本出願に援用される。
【背景技術】
【０００２】
低侵襲手術技術は、診断または手術処置中に損傷を受ける無関係の組織の量を減らし、それによって患者の回復時間、不快感、および有害な副作用を減らすことを目的としている。結果として、標準的な手術のための入院期間の平均長は、低侵襲手術技術を使用して著しく短縮され得る。また、患者の回復時間、患者の不快感、手術副作用、および仕事からの離脱時間もまた、低侵襲手術で短縮され得る。
【０００３】
低侵襲手術の一般的な形態は内視鏡法であり、内視鏡法の一般的な形態は腹腔鏡検査であり、これは腹腔内の低侵襲検査および／または手術である。再装填可能なステープリング装置は、腹腔鏡手術と併せて使用することができる。遠隔手術制御式ステープリング装置（Telesurgically controlled stapling devices）は、比較的大きい角度（例えば、９０度までおよび９０超）でヨー回転（yaw）およびピッチ回転する（pitch）サーボ制御式手首部ジョイントを含むことができる。そのような手首部ジョイントの関節運動は、手首部を通って延びる作動構成要素に大きな歪みを加える可能性がある。
【発明の概要】
【０００４】
本明細書に開示される実施形態は、比較的大きな角度でヨー回転およびピッチ回転することができる手首部を有する手術装置に関する。そのような手首部は、ピッチ軸から空間的に離間されたヨー軸を有することができ、ヨー軸およびピッチ軸は、互いに対して並びに遠隔手術制御式装置のアームまたはシャフトの延長部を画定する長手方向軸に対して垂直である。場合によっては、ヨー角およびピッチ角は最大４５、６０、または９０度であることができる。
【０００５】
多くの実施形態では、比較的大きな角度でヨーおよび／またはピッチすることができる手首部を通って延びる可撓性作動アセンブリは、引張アセンブリおよび押圧アセンブリを含む。可撓性作動アセンブリは、手術装置のジョー部を開閉するために、および／または切断および／またはステープリング装置のような他の器具を作動させるために使用することができる。多くの実施形態では、押圧要素は、手首部の大きなヨー角および／または手首部のピッチ角を介して誘発される著しい量の湾曲を有しながらも、圧縮力を伝達することができる。多くの実施形態では、押圧アセンブリは、著しい量の引張力を伝達せず、引張要素は、手術装置の近位移動および作動のために引張力を伝達するために使用される。同様に、引張構成要素は、著しい量の圧縮力を伝達しない可能性がある。多くの実施形態では、可撓性作動アセンブリへの押圧アセンブリおよび引張アセンブリの組み合わせは、手術装置のエンドエフェクタの構成要素を作動させるための圧縮力および引張力の両方の適用（すなわち、押し引き）のための可撓性作動アセンブリの使用を可能にする。
【０００６】
押圧アセンブリおよび引張構成要素は、押圧構成要素が引張構成要素の周りに同心円状に配置された状態で、共有軸に沿って一体化されることができる。いくつかの実施形態では、押圧構成要素はコイルばねを含み、引張構成要素は編組ケーブルを含む。代替的には、引張構成要素は、押圧構成要素の周りに同心円状に配置されることができる。
【０００７】
高度な手首部の柔軟性を可能にするために、手首部アセンブリは、手首部アセンブリのためのヨーおよびピッチジオメトリ（geometry）を画定する外側リンクから構成されることができる。外側リンクは、作動機構の可撓性部分を収容することができる。しかし、手首部内の作動機構の圧縮は座屈を引き起こし、力伝達の効率を低下させる可能性がある。そのような問題を軽減するのを助けるために、外側リンクを互いに接続する内側リンクが設けられることができる。内側リンクは、作動機構の横方向の動きを拘束および制限し、それによって座屈を軽減する通路を画定することができる。
【０００８】
したがって、一態様では、エンドエフェクタ、ビーム（梁）部材、引張アセンブリ、および押圧アセンブリを含む装置が説明される。エンドエフェクタは、上側ジョー部と下側ジョー部とを含む。手首部がエンドエフェクタを細長いシャフトに接続する。ビーム部材は、上側ジョー部および下側ジョー部内で並進するように配置されている。ビーム部材は、上側ジョー部に移動可能に結合するための第１の部分と、下側ジョー部に移動可能に結合するための第２の部分とを有する。引張アセンブリはビーム部材に接続されている。引張アセンブリは手首部内に柔軟に収容されており、引張力をビーム部材に加える。押圧アセンブリはビーム部材に接続されている。押圧アセンブリは手首部内に柔軟に収容され、ビーム部材に圧縮力を加える。多くの実施形態において、手首部は、その中に収容された引張アセンブリおよび押圧アセンブリとともにピッチ回転およびヨー回転するように構成される。
【０００９】
装置の引張アセンブリは、任意の適切な構成を有することができる。例えば、引張アセンブリは細長いケーブルを含むことができる。引張アセンブリは、編組シースを含むことができる。引張アセンブリは、複数の板金バンド（sheet  metal  bands）を含むことができる。引張アセンブリの曲げ剛性は、細長いシャフトに対してエンドエフェクタをピッチ回転させる手首部の作動、および細長いシャフトに対してエンドエフェクタをヨー回転させる手首部の作動に対して同じであることができる。
【００１０】
装置の押圧アセンブリは任意の適切な構成を有することができる。例えば、押圧アセンブリは、引張アセンブリを囲む内腔を含むことができる。押圧アセンブリは、密巻ばね（close-coiled  spring）を含むことができる。密巻ばねは、円筒形の外面を有することができる。密巻ばねは、境界を接する（interfacing）凸面および凹面を有することができる。密巻ばねは、螺旋状に切断されたチューブ（spiral cut tube）を含むことができる。押圧アセンブリは、圧縮力をビーム部材に伝達するのに十分な軸方向剛性を維持しながら、チューブの曲げ剛性を低減する凹部のパターンを有するチューブを含むことができる。押圧アセンブリは、張力下で分離する複数の押圧要素を含むことができる。押圧アセンブリは複数の球形部材を含むことができる。引張アセンブリは、複数の球形部材を収容する内腔を画定することができる。球形部材は、可撓性ロッドによって連結されることができる。押圧アセンブリは、要素間の横方向の相対的滑りを一方向に制限する境界面（interfacing surfaces）を有する複数の別々の要素を含むことができる。押圧アセンブリは、要素間の相対的なねじれを防止する境界面を有する複数の別々の要素を含むことができる。押圧アセンブリは、平ワッシャの積み重ね（スタック）（stack）を含むことができる。押圧アセンブリは、円環ディスクの積み重ねを含むことができる。押圧アセンブリは、複数の板金バンドがそれを通って延在する管腔を画定する矩形ワッシャの積み重ねを含むことができる。押圧アセンブリの曲げ剛性は、細長いシャフトに対してエンドエフェクタをピッチ回転させる手首部の作動および細長いシャフトに対してエンドエフェクタをヨー回転させる手首部の作動と同じであり得る。
【００１１】
別の態様では、エンドエフェクタ、ビーム部材、および作動アセンブリを含む手術ツールが説明される。エンドエフェクタは、上側ジョー部と下側ジョー部とを含む。手首部がエンドエフェクタを細長いシャフトに接続する。ビーム部材は、上側ジョー部および下側ジョー部内で並進するように配置されている。ビーム部材は、上側ジョー部に移動可能に結合するための第１の部分と、下側ジョー部に移動可能に結合するための第２の部分とを有する。作動アセンブリは、圧縮力をビーム部材に伝達する押圧アセンブリと、引張力をビーム部材に伝達する引張アセンブリとを含む。多くの実施形態では、手首部は、その中に収容された作動アセンブリとともにピッチ回転およびヨー回転するように構成される。
【００１２】
手術ツールの作動アセンブリは、任意の適切な構成を有することができる。例えば、引張アセンブリは細長いケーブルを含むことができる。引張アセンブリは、編組シースを含むことができる。引張アセンブリは、複数の板金バンドを含むことができる。引張アセンブリの曲げ剛性は、細長いシャフトに対してエンドエフェクタをピッチ回転さる手首部の作動、および細長いシャフトに対してエンドエフェクタをヨー回転させる手首部の作動に対して同じであることができる。押圧アセンブリは、引張アセンブリを囲む内腔を含むことができる。押圧アセンブリは、密巻ばねを含むことができる。密巻ばねは、円筒形の外面を有することができる。密巻ばねは、境界を接する凸面および凹面を有することができる。密巻ばねは、螺旋状に切断されたチューブを含むことができる。押圧アセンブリは、圧縮力をビーム部材に伝達するのに十分な軸方向剛性を維持しながら、チューブの曲げ剛性を低減する凹部のパターンを有するチューブを含むことができる。押圧アセンブリは、張力下で分離する複数の押圧要素を含むことができる。押圧アセンブリは複数の球形部材を含むことができる。引張アセンブリは、複数の球形部材を収容する内腔を画定することができる。球形部材は、可撓性ロッドによって連結されることができる。押圧アセンブリは、要素間の横方向の相対的滑りを一方向に制限する境界面を有する複数の別々の要素を含むことができる。押圧アセンブリは、要素間の相対的なねじれを防止する境界面を有する複数の別々の要素を含むことができる。押圧アセンブリは、平ワッシャの積み重ねを含むことができる。押圧センブリは、円環ディスクの積み重ねを含むことができる。押圧アセンブリは、複数の板金バンドがそれを通って延在する管腔を画定する矩形ワッシャの積み重ねを含むことができる。押圧アセンブリの曲げ剛性は、細長いシャフトに対してエンドエフェクタをピッチ回転させる手首部の作動および細長いシャフトに対してエンドエフェクタをヨー回転させる手首部の作動と同じであり得る。可撓性ロッドの一次元アレイが、引張アセンブリおよび押圧アセンブリの両方として使用されることができる。ニッケル−チタンロッドが、引張アセンブリおよび押圧アセンブリの両方として使用されることができる。
【図面の簡単な説明】
【００１３】
【図１】いくつかの実施形態による手術ツールの図を示す。
【図２】いくつかの実施形態による手術ツールの図を示す。
【図３】いくつかの実施形態による手術ツールの図を示す。
【図４】いくつかの実施形態による手術ツールの図を示す。
【図５】いくつかの実施形態による手術ツールの図を示す。
【図６】いくつかの実施形態による手術ツールの図を示す。
【図７】図１乃至６の手術ツールの断面図を示す。
【図８】図１乃至６の手術ツールの断面図を示す。
【図９】いくつかの実施形態による図１乃至６の手術ツールの作動アセンブリの実施形態を示す。
【図１０】図９の作動アセンブリの断面図を示す。
【図１１】図９の作動アセンブリの遠位部分の断面図を示す。
【図１２】図９の作動アセンブリの近位部分の断面図を示す。
【図１３】図１乃至６の手術ツールの作動アセンブリの押圧アセンブリの実施形態を示す。
【図１４】図１乃至６の手術ツールの作動アセンブリの押圧アセンブリの実施形態を示す。
【図１５】図１乃至６の手術ツールの作動アセンブリの押圧アセンブリの別の実施形態を示す。
【図１６】図１乃至６の手術ツールの作動アセンブリの押圧アセンブリの別の実施形態を示す。
【図１７】図１乃至６の手術ツールの作動アセンブリの押圧アセンブリの実施形態を示す。
【図１８】図１乃至６の手術ツールの作動アセンブリの押圧アセンブリの別の実施形態を示す。
【図１９】図１乃至６の手術ツールの作動アセンブリの押圧アセンブリの別の実施形態を示す。
【図２０】図１乃至６の手術ツールの作動アセンブリの別の実施形態の図を示す。
【図２１】図１乃至６の手術ツールの作動アセンブリの押圧アセンブリの別の実施形態を示す。
【図２２】図１乃至６の手術ツールの作動アセンブリの押圧アセンブリの別の実施形態を示す。
【図２３】図１乃至６の手術ツールの作動アセンブリの押圧アセンブリの別の実施形態を示す。
【図２４】図２３の押圧アセンブリの断面図を示す。
【図２５】図１乃至６の手術ツールの作動アセンブリの押圧アセンブリの別の実施形態を示す。
【図２６】図２５の押圧アセンブリの個々の要素の図を示す。
【図２７】図１乃至６の手術ツールの作動アセンブリの別の実施形態の断面図を示す。
【図２８】手術ツールの手首部に配置された図２７の作動アセンブリの一部の上面図を示す。
【図２９】手術ツールの手首部に配置された図２７の作動アセンブリの一部の上面図を示す。
【図３０】図１乃至６の手術ツールの作動アセンブリの別の実施形態を示す。
【図３１】図１乃至６の手術ツールの作動アセンブリの別の実施形態の図を示す。
【図３２】図１乃至６の手術ツールの作動アセンブリの別の実施形態の図を示す。
【図３３】図１乃至６の手術ツールの作動アセンブリの別の実施形態を示す。
【図３４】図１乃至６の手術ツールの作動アセンブリの別の実施形態の断面図を示す。
【図３５】図１乃至６の手術ツールの手首部アセンブリの図を示す。
【図３６】図３５の手首部アセンブリの断面図を示す。
【図３７】本発明のいくつかの実施形態による、外側リンクアセンブリの斜視図を示す。
【図３８】本発明のいくつかの実施形態による、手首部アセンブリを組み立てる方法を示す。
【図３９】本発明のいくつかの実施形態による、手首部アセンブリを組み立てる方法を示す。
【図４０】本発明のいくつかの実施形態による、手首部アセンブリを組み立てる方法を示す。
【発明を実施するための形態】
【００１４】
以下の説明では、様々な実施形態が説明される。説明の目的で、実施形態の完全な理解を提供するために特定の構成および詳細が説明される。しかし、実施形態は具体的な詳細なしで実施され得ることも当業者に明らかであろう。さらに、記載されている実施形態を曖昧にしないために、よく知られている特徴を省略または簡略化することがある。
【００１５】
図１−３は、近位シャシー１２、器具シャフト１４、および患者の組織を把持するように関節運動されることができる上側ジョー部１８を有する遠位エンドエフェクタ１６を含む手術ツール１０を示す。近位シャシー１２は、参照により本明細書に組み込まれる、米国特許出願公開第２０１４／０１８３２４４号明細書に開示されているシステムのような、遠隔手術システムの対応する出力カプラとインタフェース接続し且つそれによって駆動され得る入力カプラ２２を含む。入力カプラ２２は、器具シャフト１４内に配置されている１つまたは複数の入力部材と駆動的に結合されている。入力部材は、エンドエフェクタ１６と駆動的に結合されている。図２および３に示すように、近位シャシー１２の入力カプラ２２は、参照により本明細書に組み込まれる、米国特許第８，９１２，７４６号に開示されているステープラ専用のモータパック、または米国特許第８，５２９，５８２号に開示されている汎用モータパックのような、様々な種類のモータパック１３と接続する（mate  with）ように構成されることができる。
【００１６】
図４−６は、エンドエフェクタ１６を含む手術ツール１０の遠位端部の斜視図、側面図、および上面図を示す。エンドエフェクタ１６は、手首部アセンブリ２４によって器具シャフト１４に移動可能に接続されている。手首部アセンブリ２４は、少なくとも２自由度を有し、器具シャフト１４に対して直交する２つの軸回りのエンドエフェクタ１６の関節運動のために、細長い器具シャフト１４へのエンドエフェクタ１６の取り付けを提供する。手首部アセンブリ２４は、器具シャフト１４が沿って延びる軸１に対して垂直である軸２の周りで器具シャフト１４に対してエンドエフェクタ１６をヨー回転させるように構成されている。手首部アセンブリ２４はまた、軸１および軸２に垂直である軸３の周りで器具シャフト１４に対してエンドエフェクタ１６をピッチ回転させるように構成されている。図示のように、ヨー軸２はピッチ軸３に対して近位（エンドエフェクタ１６からより遠い）であるが、これは必要条件ではなく、いくつかの実施形態では、ヨー軸２はピッチ軸３の遠位にある。
【００１７】
図７および８は、上側ジョー部１８および下側ジョー部２６を含むエンドエフェクタ１６の詳細を示す断面図である。下側ジョー部２６は、取り外し可能または非取り外し可能ステープルカートリッジを収容および支持するように構成されることができる。上側ジョー部１８は、組織をクランプするために下側ジョー部２６に対して関節運動するように下側ジョー部２６と枢動可能に結合されている。ビーム部材２８が、上側ジョー部を関節運動させるために図７に示す近位状態から図８に示す遠位状態に駆動される。ビーム部材２８の移動は、下側ジョー部２６に対して組織上に上側ジョー部１８を強制的に固定するように働くことができる。オプションで、ビーム部材２８はまた、組織を切断し、カートリッジから切断された組織にステープルを展開することを可能にし得る。
【００１８】
ビーム部材２８は、上側ジョー部１８のレール機構３２内でスライドするように構成された上側ビーム部３０を含む。レール機構３２は、上側ビーム部分３０が最近位ガレージ領域３６から係合するための傾斜路３４を含む。図７に示す開位置は、ばねのような弾性装置によって維持されることができる、または二次機構（図示せず）によって開閉されることができる。上側ジョー部１８の部分的な閉鎖は、傾斜路３４上への上側ビーム部分３０の遠位移動に影響され得る。上側ジョー部１８の完全な閉鎖は、上側ビーム部分３０が傾斜路３４を越えてレール機構３２上を遠位に動かされるときに達成される。傾斜路３４から離れる上側ビーム部分３０の近位移動は、ビーム部材２８によって上側ジョー部１８に加えられた閉鎖力を取り除く。次いで、弾性装置または二次機構が、閉じたまたは部分的に閉じた上側ジョー部１８を開かせることができる。したがって、傾斜路３４に沿った上側ビーム部分３０の前後移動は、エンドエフェクタ１６の開閉を切り替えることができる。
【００１９】
ビーム部材２８はまた、下側ジョー部１８のレール機構内でスライドするように構成された下側ビーム部分３８を含む。下側ビーム部分３８は、ビーム部材２８の遠位移動中に下側ジョー部２６からステープルを排出するように構成された（米国特許出願公開第２０１４／０１８３２４４号に開示されているような）スレッド（sled）を作動させることができる。代替的には、下側ビーム部分３８はそのようなスレッドと一体化されることができる。
【００２０】
図９は、ビーム部材２８の図を示す。ここで、上側ビーム部分３０は、組織を切断するように構成された一体型切断部材４０を含む。しかし、他の実施形態では、組織切断装置は、ビーム部材２８から分離されることができ、または異なる方法でビーム部材２８内に実装されることができる。上側ビーム部分３０は、一体型切断部材４０から横方向に延びる上側フランジ４２を含む。上側フランジ部分４２は、レール機構３２および傾斜路３４と直接連結するように構成されている。同様の方法で、下側フランジ４４が、下側ジョー部２６のレール機構でスライドするように設けられる。細長い作動アセンブリ４６が、ビーム部材２８に遠位方向および近位方向への移動を提供するために、ビーム部材２８に取り付けられている。
【００２１】
図１０−１２は、ビーム部材２８および作動アセンブリ４６の断面図を示す。作動アセンブリ４６は、押圧アセンブリ４８および引張アセンブリ５０を含む。図示された実施形態では、押圧アセンブリ４８は、密巻コイルばねとして構成され、ビーム部材２８への駆動ロッド５２からの圧縮力を伝えるように適合されている。押圧アセンブリ４８は、例えば、ＰＴＦＥのような潤滑性ポリマー材料のような任意の適切な材料から構成することができるシース５４によって外側から拘束されることができる。押圧アセンブリ４８のコイル状設計は、ビーム部材２８を遠位方向に押すために圧縮力がビーム部材２８に効率的に伝えられることを可能にする。押圧アセンブリ４８は、任意の適切な方法で構成されることができる。例えば、幾つかの実施形態では、押圧アセンブリ４８は、コイル状ワイヤから構成されることができる。幾つかの実施形態では、押圧アセンブリ４８は、チューブから螺旋状に切断される。場合によっては、押圧アセンブリの圧縮要素（例えば、コイル）は、張力下で分離するため、そのような場合、押圧アセンブリは主に圧縮力を伝達するために用いられ得る。
【００２２】
引張アセンブリ５０は、任意の適切な材料又は引張荷重に対抗することができる要素（例えば、編組ケーブルまたは可撓性ロッド）から構成されることができる。いくつかの実施形態では、引張アセンブリ５０は、圧着部分（crimp  portion）５６によってビーム部材２８内に保持され得る。場合によっては、引張アセンブリ５０は、それ自体がつぶれたり座屈したりする傾向を有し得るので、ビーム部材２８への駆動ロッド５２からの圧縮力を伝達することに比較的効果がない可能性があり、したがって、そのような場合、引張アセンブリ５０は主に引張力を伝達するために用いられ得る。引張アセンブリ５０は、駆動ロッド５２によってビーム部材２８に加えられた引張力を伝達するように適合されている。駆動ロッド５２は器具シャフト１４内に配置され、図１に示される入力カプラ２２の１つまたは複数に駆動可能に結合される。引張アセンブリ５０は、引張力が駆動ロッド５２からビーム部材２８に効果的に伝達され、ビーム部材２８を近位方向に引っ張ることを可能にする。押圧アセンブリ４８および引張アセンブリ５０は、引張アセンブリ５０を介して引張力をおよび押圧アセンブリ４８を介して圧縮力を伝達することによって、ビーム部材２８に遠位および近位の運動を提供するように相補的な方法で動作する。引張アセンブリ５０を介して引張力をおよび押圧アセンブリ４８を介して圧縮力を伝達することは、作動アセンブリ４６の非常に柔軟かつコンパクトな設計を可能にし、動作中に比較的大きいヨー角度およびピッチ角度で配置されることができる手首部２４内で作動アセンブリ４６が並進運動することを可能にする特性を可能にする。
【００２３】
押圧アセンブリ４８は、所与の固定内径および外径に対して実質的に連続的な外形およびより大きく／より硬いワイヤ部分を提供するために円筒形の外径を有することができる。例えば、図１３および１４は、円筒形外面４８ａｏｓを有する押圧アセンブリ４８ａを示す。コイルばねを研削して円筒形外面４８ａｏｓを形成するような、任意の適切な手法が押圧アセンブリ４８ａを製造するために使用されることができる。
【００２４】
押圧アセンブリ４８は、境界を接する凸面／凹面を有する密巻ばねを含むことができる。例えば、図１５および１６は、分布接触応力を増大させかつ丸ワイヤコイルばねに対してコラム安定性（column stability）を向上させるためにコイルの隣接する部分と一緒にぴったり重なる境界を接する凸／凹面を有する押圧アセンブリ４８ｂを示す。
【００２５】
押圧アセンブリ４８は、図１０−１６に示されるような密巻コイルばね設計に限定されない。例えば、図１７−１９は、実質的に圧縮剛性を低下させることなく、手首部２４で押圧アセンブリの曲げ柔軟性を増加させるために、手首部２４の近傍において中実チューブにパターンを局所的に切り込むことによって中実チューブから形成されることができる可撓性の押圧アセンブリ４８ｃ、４８ｄ、４８ｅを示す。押圧アセンブリ４８ｃ、４８ｄ、４８ｅは、任意の適切な材料（例えば、適切な金属、適切なポリマーベースの材料）から作られたチューブにパターンをレーザーカットすることにより形成されることができる。図１７に示す押圧アセンブリ４８ｃでは、パターンは、ギャップがチューブに形成されるところでの可撓性を高めるとともに材料が適所に残されるところでの軸方向の剛性を保つ。図１８に示す押圧アセンブリ４８ｄは、らせん状パターンに配置された複数の円周方向スリットを有する。図１９に示す押圧アセンブリ４８ｅでは、パターンは、組み合い（interlocking）セグメントの相対的な変位を抑制しながら柔軟性を提供する別々の組み合いセグメントを形成する。
【００２６】
押圧アセンブリ４８は、別々の境界を接するセグメントの任意の適切な構成から形成することができる。例えば、図２０は、平ワッシャの積み重ねから作られた押圧アセンブリ４８ｆを示す。図２１および２２は、円環ディスクの積み重ねから作られた押圧アセンブリ４８ｇを示す。図２３および２４は、円錐ワッシャの積み重ねから作られた押圧アセンブリ４８ｈを示している。円錐ワッシャの夫々は、円錐ワッシャの相対的な横方向の動きを抑制して円錐ワッシャの中心を通って延びる引張アセンブリ５０との円錐ワッシャの整列を強化するように相互作用する非平面状のインタフェース（境界を接する）面（例えば球状インタフェース面）を有する。円錐ワッシャの形状の結果として、押圧アセンブリ４８ｈは、隣接する円錐ワッシャ間の任意の方向の相対的な滑動を介して、作動アセンブリ４６の局所軸方向を横切る任意の方向の押圧アセンブリ４８ｈの曲がりに適応する。
【００２７】
押圧アセンブリ４８は、任意の適切な非軸対称の境界を接するセグメントの積み重ねから形成することができる。例えば、図２５は、別個の非軸対称部材７０の積み重ねから作られた押圧アセンブリ４８ｉを示す。図２６は、部材７０のうちの１つの異なる図を示す。図示の実施形態では、部材７０は、横方向に向けて突出する領域７２と、隣接部材７０の突出する領域７２を収容し且つこれと接するように成形された横方向に向けて凹んだ領域７４とを有する。突出する領域７２および凹んだ領域７４は、隣接する部材７０間の相対的な滑りを、領域７２、７４が押圧アセンブリ４８ｉの局所的な延在方向に対して横方向に延在する方向に制限するように形作られている。インタフェース（境界を接する）領域７２、７４はまた、押圧アセンブリ４８ｉの局所的な延在方向の周りの隣接部材７０間の相対的なねじれを抑制するように働き、それによって、押圧アセンブリ４８ｉの近位端部と遠位端部との間の押圧アセンブリ４８ｉのねじれを抑制する。
【００２８】
作動アセンブリ４６は、細長い板金ストリップのスタックを含み得る。例えば、図２７は、図１−６の手術ツールの作動アセンブリ４６ｊの断面図を示す。作動アセンブリ４６ｊは、板金ストリップ７６の平面を横切る作動アセンブリ４６ｊの撓み（flexure）、ならびに作動アセンブリ４６ｊの長さに沿った作動アセンブリ４６ｊのねじれに適応しながら、圧縮荷重および引張荷重の両方に対抗する（react）ように構成された細長い板金ストリップ７６を含む。作動アセンブリ４６ｊは、それを通って板金ストリップ７６が作動アセンブリ４６ｊの近位端部から作動アセンブリ４６ｊの遠位端部まで延びる長方形のチャネル８０を有する外側シース７８を含む。外側シース７８は、ビーム部材２８の遠位前進中に板金ストリップが圧縮で負荷を与えられるときに板金ストリップ７６の横方向の座屈を防止するように板金ストリップ７６の積み重ねを拘束する。図２８は、器具シャフト１４に対するエンドエフェクタ１６の回転に応答して引き起こされ得る作動アセンブリ４６ｊのねじれおよびそれに関連する板金ストリップ７６のねじれを示す。図２９は、器具シャフト１４に対するエンドエフェクタ１６の再配向（reorientation）に応答して引き起こされ得る手首部アセンブリ２４の近傍における板金ストリップ７６の撓みを示す。
【００２９】
作動アセンブリ４６は、駆動ロッド５２とビーム部材２８との間で引張荷重を伝達するための細長い板金バンドの積み重ねと、駆動ロッド５２とビーム部材２８との間で圧縮荷重を伝達するための矩形ワッシャの積み重ねとを含むことができる。例えば、図３０は、駆動ロッド５２とビーム部材２８との間に取り付けられそれらの間に延在する板金ストリップ７６の積み重ねを含む作動アセンブリ４６ｋの等角図を示す。作動アセンブリ４６ｋでは、板金ストリップ７６は、ビーム部材２８の近位後退中に駆動ロッド５２からビーム部材２８へ引張荷重を伝達する。作動アセンブリ４６ｋはさらに、ビーム部材２８の遠位前進中に駆動ロッド５２からビーム部材２８へ圧縮荷重を伝達する矩形ワッシャ８２の積み重ねを含む。作動アセンブリ４６ｋはさらに、矩形ワッシャ８２を収容する管腔を有する内側シース８４と、内側シース８４を収容する管腔を有する外側シース８６とを含む。図示された実施形態では、外側シース８６は、手首部２４を介した器具シャフト１４に対するエンドエフェクタ１６の再配向に応答して、板金ストリップ７６の平面を横切って曲がるように外側シース８６の可撓性を高めるために、手首部アセンブリ２４の近くに一連の凹部８８を有する。
【００３０】
作動アセンブリ４６は、複数の可撓性作動ロッドを含むことができる。例えば、図３１は、図１−６の手術ツールの作動アセンブリ４６ｍの遠位部分の側面図を示す。作動アセンブリ４６ｍは、駆動ロッド５２からビーム部材２８ｍへの張力と駆動ロッド５２からビーム部材２８ｍへの圧縮力との両方を伝達するように適合された３つの可撓性作動ロッド９０を含む。３つの可撓性作動ロッド９０は、共通平面内に整列され、それによって共通平面を横切る作動ロッド９０の撓みに適応する。３つの可撓性作動ロッド９０は、駆動ロッド５２とビーム部材２８ｍとの間で別々に経路を定められ、それによって器具シャフト１４に対するエンドエフェクタ１６の回転に応答して引き起こされ得る作動ロッド９０のねじれに適応する。図３２は、それを介して作動ロッド９０がビーム部材２８ｍに結合されるビーム部材２８ｍの開口部９２を示す作動アセンブリ９０ｇのビーム部材２８ｍの端面図を示している。
【００３１】
作動アセンブリ４６は、引張アセンブリ５０の代わりに、圧縮荷重および引張荷重の両方を駆動ロッド５２からビーム部材２８に伝達する要素を使用することができる。例えば、図３３は、引張アセンブリ５０の代わりにニチノールワイヤ５０ａを含む作動アセンブリ４６ｎを示す。ニチノールワイヤ５０ａは、ビーム部材２８を遠位方向に前進させかつ近位方向に後退させる両方を行うために駆動ロッド５２からビーム部材２８に圧縮荷重および引張荷重の両方を伝達する。図示の実施形態では、作動アセンブリ４６ｎはばね４８ｎを含み、これは密巻ばね（closed coil spring）であり得るが、そうである必要はない。ばね４８ｎは、ビーム部材２８の遠位前進中に駆動ロッド５２からビーム部材２８への圧縮荷重の伝達をニチノールワイヤ５０ａと共有するように構成することができる。ばね４８ｎは、ビーム部材２８の遠位前進中に駆動ロッド５２からビーム部材２８への圧縮荷重の伝達をニチノールワイヤ５０ａと共有しないように構成することもできる。多くの実施形態では、バネ４８ｎの主な機能は、ニチノールワイヤが駆動ロッド５２の直径に一致する直径を有することができるようにニチノールワイヤ５０ａへの半径方向の支持を提供することである。ニチノールワイヤ５０ａをビーム部材２８および駆動ロッド５２のそれぞれに取り付けるために、例えばカシメ、ハンダ付け、溶接などの任意の適切な手法を使用することができる。
【００３２】
作動アセンブリ４６のいくつかの実施形態では、押圧部材４８は、引張部材５０の管腔内に配置されている。例えば、図３４は、押圧アセンブリ４８ｏと、押圧アセンブリ４８ｏが配置されている管腔を有する引張アセンブリ５０ｏとを含む作動アセンブリ４６ｏを示す。作動アセンブリ４６ｏの構成は、押圧アセンブリ４８が引張アセンブリ５０を同心円状に取り囲む本明細書に記載の他の実施形態とは異なる。作動アセンブリ４６ｏでは、引張アセンブリ５０ｏは、押圧アセンブリ４８ｏを封入するシース（例えば編組シース）を有する。押圧アセンブリ４８ｏは、可撓性ロッド６６によって接合された複数の球状部材（例えば、ボールベアリング）を含む。押圧アセンブリ４８ｏおよび引張アセンブリ５０ｏの両方は、図１に示す入力カプラ２２の１つまたは複数に駆動可能に結合されている駆動ロッド５２によって作動される。
【００３３】
図３５および３６は、手首部アセンブリ２４の斜視図および断面図を示す。手首部アセンブリ２４は、近位外側リンク１００、中間外側リンク１０２、および遠位外側リンク１０４を含む。これら３つのリンクは、手首部アセンブリ２４の運動学的ピッチおよびヨー運動を決定する。図示のように、近位外側リンク１００と中間外側リンク１０２との間の接点部（interface）は、手首部アセンブリ２４のヨー運動を決定する。外側遠位リンク１０４と中間外側リンク１０２との間の接点部は、手首部アセンブリ２４のピッチ運動を決定する。しかし、代替の手首部構成では、この関係は、（例えば、手首部アセンブリ２４に対してエンドエフェクタ１６を９０度回転させることによって）手首部アセンブリ２４が近位外側リンク１００と中間外側リンク１０２との間でピッチ回転し、遠位外側リンク１００と中間外側リンク１０２との間でヨー回転するように逆にされることができる。
【００３４】
ケーブル部分１０６は、手首部アセンブリ２４に張力を加え、手首部アセンブリに動きを与えるように作動される。一実施形態では、ケーブル部分１０６は、遠位外側リンク１０４の一部分に個々に固定されることができる。機能的に均等な代替実施形態では、図３５に示されるように、ケーブル部分１０６は、示されるように遠位外側リンク１０４の一部分の周りにループにされる。ケーブル部分１０６を遠位外側リンク１０４にループさせることは、ケーブル部分１０６を遠位外側リンク１０４に固定し、ケーブル部分１０６がスリップすることを防ぐ。どちらの実施形態でも、張力が、手首部を関節運動させるように引っ張られることになる個々のケーブル部分１０６に加えられる。ケーブル部分１０６に加えられる差動力（Differential  forces）は、様々な角度でピッチ回転およびヨー回転させるように手首部アセンブリを作動させることができる。ケーブル部分１０６は、図１に示される入力カプラ２２のうちの１つまたは複数に駆動可能に結合されることができる。手首部アセンブリはまた、近位内側リンク１０８および遠位内側リンク１１０を含み、これらは以下で詳細に論議される。
【００３５】
図３７に注目すると、図３５および３６Ｂに示す外側リンク間の接点部を表すジョイント１１２の例示的実施形態が示されている。ジョイント１１２は、第１リンク１１４および第２のリンク１１６を含む。第１リンク１１４は、歯１１６、１１８およびベアリング（支持）突出部（bearing  projection）１２２を含み得る。ディスク７２０は、ピン１２４、１２６、１２８およびベアリング突出部１３０を含む。例示的な実施形態によれば、第１および第２のリンク１１４、１１６の突出部１２２、１３０は、ケーブル部分１０６が通過することを可能にする通路を含み得る。ベアリング突出部１２２、１３０は中央開口部１３４、１３６に対して外側位置に配置されているので、ベアリング突出部１２２、１３０に隣接する通路を通って延びるケーブル部分１０６もまた外側位置に配置されている。これは、中央開口部１３４、１３６を通る他の機構の経路設定（routing）を可能にする。リンク間の作動運動学は、運動中に係合および係合解除するピンおよび歯の形状によって決定される。ベアリング突出部１２２、１３０は、ピンおよび歯への圧縮歪みを減少させるのを助けるために全ての角運動を通していくつかのポイントで係合する曲面を含んでいた。
【００３６】
ジョイント１１２によって提供される拡大された運動範囲により、ジョイント１１２を含む手首部は、より少ない部品によるより効率的な方法で、ピッチまたはヨー方向に±９０度のような所望の量の運動を提供し得る。各ジョイントが約４５度の最大ロール角に制限される従来の手首部構造では、直列のいくつかのそのようなジョイントが、手首部機構全体のための比較的大きなロール角に必要とされる。図示のように実施形態では、単一のジョイントが最大９０度のロール角制限を提供することができる。その結果、１つまたは複数のジョイント１１２を含む手首部の製造コストおよび複雑さが低減される一方依然として関節運動に対する所望の制御を達成することができる。加えて、ジョイント１１２のリンク１１４、１１６に含まれる複数の歯および対応する複数のピンは、例えば、ディスクを中立位置（例えば、ゼロ角度ロールアラインメント）に戻すことを含む、リンク１１４、１１６を正確に位置決めするのを助けるために、および、リンク１１４、１１６が互いに対する方向に回転されるときのように、リンク１１４、１１６間の動きの滑らかさを高めるために、向上されたタイミングを提供することができる。例示的な実施形態によれば、手首部は、例えば、ピッチまたはヨー方向の最大±１８０度の運動範囲を有する手首部のような、より高い運動範囲（ロール限界角度まで）を達成するために複数のジョイント１１２を含み得る。ジョイント１１２、および本明細書に開示された実施形態と共に使用可能な他のジョイントのさらなる詳細は、国際公開第２０１５／１２７２５０号に開示されており、これは参照により本明細書に組み込まれる。
【００３７】
図３６に示すように、近位内側リンク１０８および遠位内側リンク１１０は、軸１に沿って空間的に分離され、互いに９０度オフセットされている（ずれている）。したがって、近位内側リンク１０８は部分的にしか示されていない。近位および遠位内側リンク１０８、１１０の半径方向表面は、突出部を含む（例えば、クレビスピン（clevis pins）１４０として構成されている）。クレビスピンは、外部リンクの内側表面で（例えばクレビスジョイント（clevis joints）１４２として構成された）くぼみの間を接続する。クレビスピン１４０およびジョイント１４２は、外側リンクのジョイント間の距離を設定するが、そうでなければ受動的であり、歯とピンの幾何学的形状によって決定される外側リンクのジョイント運動学を変えない。近位および遠位内側リンク１０８、１１０の各側部は、内側リンク１０８、１１０あたり合計４つのクレビスピン１４０のための外側リンクへの各接続部に対する共通に整列した（commonly  aligned）クレビスピンのペアを含む。クレビスピン１４０の各ペアは、作動アセンブリ４６のための内部通路１４４を提供するために分離される。
【００３８】
追加の内部シース１４６が、作動アセンブリ４６をさらに支持するために使用されることができる。作動アセンブリ４６は、内部シース１４６内で軸方向にスライドする。内部シース１４６は、手首部アセンブリ２４の遠位端部分に固定され、手首部アセンブリ２４の動きとともに曲がるように可撓性であるが、軸方向には動かない。内側リンクによって提供される内部シース１４６および内部通路１４４は、軸方向移動中に作動アセンブリ４６を案内し且つ拘束するように働く。内部シース１４６および内部通路１４４は、圧縮荷重（すなわち、切断およびステープル留め中の遠位運動）下で作動アセンブリが座屈するのを防止する。前述の国際公開第２０１５／１２７２５０号に開示されているような従来の手首部のデザインは、外側リンクを定位置に維持するために張力をかけたケーブルに頼っている。作動アセンブリ４６が遠位方向に移動するとき、結果として生じる圧縮力はケーブルにたるみを誘発し得るので、ここではそれは不十分である。しかし、作動アセンブリ４６が遠位方向に移動するとき、内側リンク１０８、１１０のクレビスピン１４０は有利に外側リンクを所定の位置に維持し、そのため、手首部アセンブリ２４の構造を維持する。
【００３９】
各内側リンクは、図３８乃至４０に示すようにツーピース構造を有することができ、これらの図は、内側リンクを外側リンクに組み立てるための技法も示している。図３８において、近位内側リンク１０８の第１のリンク部分１０８ａおよび第２のリンク部分１０８ｂは、クレビスピン１４０を中間外側リンク１０２のクレビスジョイント１４２内に配置するように位置決めされる。第１のリンク部分１０８ａおよび第２のリンク部分１０８ｂは、各部分のギア歯１４８が互いに噛み合って、その部分を図３９に示す構造に整列させるように、斜めに挿入される。ギア歯１４８は、ピンまたは他の留め具の必要性を排除する組み立て補助具であり、組み立ての他に運動のためには使用されない。しかし、いくつかの実施形態では、留め具がギア歯の代わりに使用されることができる。リンク部分１０８ａ、１０８ｂが完全な内側近位リンク１０８に組み立てられた後、近位外側リンク１００が残りの露出したクレビスピン１４０の上に組み立てられて図４０に示す構造になる。一実施形態では、図４０に示されるように、近位外側リンク１００もまたツーピース構造である。
【００４０】
他の変形は本発明の精神の範囲内である。説明した実施形態の様々な態様、実施形態、実装形態または特徴は、別々にまたは任意の組み合わせで使用することができる。遠隔手術ツールの動作に関連する記載された実施形態の様々な態様は、ソフトウェア、ハードウェア、またはハードウェアとソフトウェアの組み合わせによって実施することができる。したがって、本発明は様々な修正形態および代替構成を受け入れる余地があるが、その特定の例示の実施形態は図面に示されており、上で詳細に説明されてきた。しかし、開示された特定の形態に本発明を限定する意図はないが、それどころか、その意図は、添付の特許請求の範囲に定義されるように、本発明の精神および範囲内にあるすべての修正形態、代替構造、および均等物を包含することであることが理解されるべきである。
【００４１】
本発明を説明する文脈における（特に以下の特許請求の範囲の文脈における）用語“ａ”および“ａｎ”および“ｔｈｅ”および類似の指示対象の使用は、そうでないことが本明細書に示されるか、または文脈により明らかに否定される場合を除き、単数形および複数形の両方を包含すると解釈されるべきである。用語「備える」、「有する」、「含む」、および「含有する」は、特に断りのない限り、オープンエンドの用語（すなわち、「含むが、これに限定されない」を意味する）として解釈されるべきである。「接続された」という用語は、たとえ介在するものがあったとしても、部分的にまたは全体的にその中に含まれる、それに取り付けられる、または一緒に接合されると解釈されるべきである。本明細書における値の範囲の列挙は、本明細書において別段の指定がない限り、単にその範囲内に含まれる各個別の値を個々に指す簡潔な方法として役立つことを意図しており、各個別の値は、あたかも本明細書に個々に記載されているかのように本明細書に組み込まれる。本明細書に記載のすべての方法は、本明細書に別段の指示がない限りまたは文脈によって明らかに矛盾しない限り、任意の適切な順序で実行することができる。本明細書で提供されるありとあらゆる例、または例示的な言語（例えば、「のような」）の使用は、単に本発明の実施形態をよりよく明らかにすることを意図しており、特に請求項に記載されない限り本発明の範囲の限定をもたらさない。本明細書中のいかなる言語も、請求項に記載されていない要素を本発明の実施に必須であると示すと解釈されるべきではない。
【００４２】
本発明を実施するために本発明者らが知っている最良の形態を含む、本発明の好ましい実施形態が本明細書に記載されている。これらの好ましい実施形態の変形は、前述の説明を読めば当業者には明らかになるであろう。本発明者らは、当業者がそのような変形を適切に使用することを期待し、そして本発明者らは本明細書に具体的に記載されたものとは別の方法で本発明を実施することを意図する。したがって、本発明は、適用法によって許容されるように、本明細書に添付の特許請求の範囲に列挙されている主題のすべての修正形態および均等物を含む。さらに、そのすべての可能な変形形態における上記の要素の任意の組み合わせは、本明細書中に別段の指示がない限りまたは文脈によって明らかに矛盾しない限り、本発明に包含される。
【図１】
2019526386.tif 000003
【図２】
2019526386.tif 000004
【図３】
2019526386.tif 000005
【図４】
2019526386.tif 000006
【図５】
2019526386.tif 000007
【図６】
2019526386.tif 000008
【図７】
2019526386.tif 000009
【図８】
2019526386.tif 000010
【図９】
2019526386.tif 000011
【図１０】
2019526386.tif 000012
【図１１】
2019526386.tif 000013
【図１２】
2019526386.tif 000014
【図１３】
2019526386.tif 000015
【図１４】
2019526386.tif 000016
【図１５】
2019526386.tif 000017
【図１６】
2019526386.tif 000018
【図１７】
2019526386.tif 000019
【図１８】
2019526386.tif 000020
【図１９】
2019526386.tif 000021
【図２０】
2019526386.tif 000022
【図２１】
2019526386.tif 000023
【図２２】
2019526386.tif 000024
【図２３】
2019526386.tif 000025
【図２４】
2019526386.tif 000026
【図２５】
2019526386.tif 000027
【図２６】
2019526386.tif 000028
【図２７】
2019526386.tif 000029
【図２８】
2019526386.tif 000030
【図２９】
2019526386.tif 000031
【図３０】
2019526386.tif 000032
【図３１】
2019526386.tif 000033
【図３２】
2019526386.tif 000034
【図３３】
2019526386.tif 000035
【図３４】
2019526386.tif 000036
【図３５】
2019526386.tif 000037
【図３６】
2019526386.tif 000038
【図３７】
2019526386.tif 000039
【手続補正書】
【提出日】令和1年5月30日(2019.5.30)
【手続補正１】
【補正対象書類名】特許請求の範囲
【補正対象項目名】全文
【補正方法】変更
【補正の内容】
【特許請求の範囲】
【請求項１】
上側ジョー部および下側ジョー部を有するエンドエフェクタであって、手首部が前記エンドエフェクタを細長いシャフトに接続する、エンドエフェクタと：
前記上側ジョー部および前記下側ジョー部内で並進するように配置されているビーム部材であって、前記上側ジョー部に移動可能に結合するための第１の部分および前記下側ジョー部に移動可能に結合するための第２の部分を有する、ビーム部材と；
圧縮力を前記ビーム部材に伝達する押圧アセンブリおよび引張力を前記ビーム部材に伝達する引張アセンブリを有する、作動アセンブリと；
を有する、
手術装置。
【請求項２】
前記引張アセンブリは、細長いケーブルを有し、
前記押圧アセンブリは、前記細長いケーブルを囲む内腔を有する、
請求項１に記載の手術装置。
【請求項３】
前記押圧アセンブリは、密巻ばねを有する、
請求項１に記載の手術装置。
【請求項４】
前記密巻ばねは、円筒形の外面を有する、又は、境界を接する凸面および凹面を有する、又は、螺旋状に切断されたチューブを含む、
請求項３に記載の手術装置。
【請求項５】
前記押圧アセンブリは、凹部のパターンを有するチューブを有する、
請求項１に記載の手術装置。
【請求項６】
前記押圧アセンブリは、張力下で分離する複数の押圧要素を有する、
請求項１に記載の手術装置。
【請求項７】
前記押圧アセンブリは、複数の球形部材を有し、
前記引張アセンブリは、前記球形部材を収容する内腔を画定する、
請求項６に記載の手術装置。
【請求項８】
前記球形部材は、可撓性ロッドによって連結される、
請求項７に記載の手術装置。
【請求項９】
前記押圧アセンブリは、複数の別々の要素であって、前記要素間の横方向の相対的滑りを一方向に制限する境界面を有する、複数の別々の要素を有する、
請求項１に記載の手術装置。
【請求項１０】
前記押圧アセンブリは、複数の別々の要素であって、前記要素間の相対的なねじれを防止する境界面を有する、複数の別々の要素を有する、
請求項１に記載の手術装置。
【請求項１１】
前記押圧アセンブリは、平ワッシャの積み重ねを有する、
請求項１に記載の手術装置。
【請求項１２】
前記押圧アセンブリは、円環ディスクの積み重ねを有する、
請求項１に記載の手術装置。
【請求項１３】
前記引張アセンブリは、複数の板金バンドを有し、
前記押圧アセンブリは、前記複数の板金バンドがそれを通って延在する管腔を画定する矩形ワッシャの積み重ねを有する、
請求項１に記載の手術装置。
【請求項１４】
前記押圧アセンブリは、可撓性ロッドの一次元アレイを有し、
前記引張アセンブリは、前記可撓性ロッドの一次元アレイを有し、
前記可撓性ロッドの一次元アレイは、前記引張力を前記ビーム部材に伝達し、
前記可撓性ロッドの一次元アレイは、前記圧縮力を前記ビーム部材に伝達する、
請求項１に記載の手術装置。
【請求項１５】
前記押圧アセンブリは、ニッケル−チタンロッドを有し、
前記引張アセンブリは、前記ニッケル−チタンロッドを有し、
前記ニッケル−チタンロッドは、前記引張力を前記ビーム部材に伝達し、
前記ニッケル−チタンロッドは、前記圧縮力を前記ビーム部材に伝達する、
請求項１に記載の手術装置。
【国際調査報告】
2019526386.tif 000040
2019526386.tif 000041
2019526386.tif 000042
2019526386.tif 000043